(57)【特許請求の範囲】
【請求項１】
ワイヤレス通信の方法において、
ロングタームエボリューション（ＬＴＥ）無線アクセス技術（ＲＡＴ）上でアクティブに通信することと、
前記ＬＴＥＲＡＴが、アップリンクのタイムスロットの間に通信するようにスケジューリングされていないときに、使用されていないＬＴＥアップリンクサブフレームの間にワイヤレスローカルエリアネットワーク（ＷＬＡＮ）ＲＡＴ上でアクティブに通信することと、
ＷＬＡＮ無線とＷＬＡＮアクセスポイントとの間での、電力セーブポールメッセージの使用を通して、前記ＷＬＡＮ無線の通信を制御することと、
ＬＴＥアップリンクのタイムスロットと同時に起こっている時間期間の間に、前記電力セーブポールメッセージ及び肯定応答メッセージを送信することと
を含む方法。
【請求項２】
ワイヤレス通信の方法において、
ロングタームエボリューション（ＬＴＥ）無線アクセス技術（ＲＡＴ）上でアクティブに通信することと、
前記ＬＴＥＲＡＴが、アップリンクのタイムスロットの間に通信するようにスケジューリングされていないときに、使用されていないＬＴＥアップリンクサブフレームの間にワイヤレスローカルエリアネットワーク（ＷＬＡＮ）ＲＡＴ上でアクティブに通信することと、
ＷＬＡＮ無線とＷＬＡＮアクセスポイントとの間での、電力セーブポールメッセージの使用を通して、前記ＷＬＡＮ無線の通信を制御することと、
ＬＴＥアップリンクのタイムスロットと同時に起こっている時間期間の間に、電力セーブポールメッセージまたは肯定応答メッセージをスケジューリングすることが可能でないときに、ＬＴＥダウンリンクのタイムスロットと同時に起こっている時間期間の間に、前記電力セーブポールメッセージまたは前記肯定応答メッセージを送信することと、
前記ＬＴＥダウンリンクのタイムスロットと同時に起こっている前記時間期間の間に、ＬＴＥ動作をブランキングすることと
を含む方法。
【請求項３】
前記肯定応答メッセージは、集約されている肯定応答メッセージを含む請求項１記載の方法。
【請求項４】
ＷＬＡＮダウンリンク肯定応答メッセージを受信するために、ＬＴＥのアップリンク送信をブランキングすることをさらに含む請求項１記載の方法。
【請求項５】
ＬＴＥの非アクティブなアップリンクサブフレームと同時に起こっている時間期間の間に、前記ＷＬＡＮアクセスポイントからの肯定応答メッセージを前記ＷＬＡＮ無線によって受信させるように、前記ＷＬＡＮ無線による送信をスケジューリングすることをさらに含む請求項１記載の方法。
【請求項６】
アクティブに通信しているときに、エネルギーの尺度として、前記ＬＴＥＲＡＴによってもたらされる干渉のレベルを決定することと、
前記ＷＬＡＮＲＡＴのリソースにおけるアクティビティレベルを測定することと、
前記ＬＴＥＲＡＴによってもたらされる前記干渉のレベルに対処する間に、前記アクティビティレベルが、しきい値である、または、しきい値よりも低いときに、前記ＬＴＥの干渉に対処するためのエネルギー測定によって前記しきい値をオフセットし、このオフセットされたしきい値と前記アクティビティレベルを比較することにより前記ＷＬＡＮＲＡＴのリソースが非アクティブであることを決定することと
によって、前記ＷＬＡＮＲＡＴのリソースのアクティビティレベルを決定することをさらに含む請求項１記載の方法。
【請求項７】
前記ＬＴＥＲＡＴが通信を停止するように命令されたときの時間期間の間に、前記ＷＬＡＮＲＡＴのリソースにおけるアクティビティレベルを測定することによって、前記ＷＬＡＮＲＡＴのリソースの前記アクティビティレベルを決定することをさらに含む請求項１記載の方法。
【請求項８】
ワイヤレス通信システム中で動作可能な装置において、
前記装置は、
ロングタームエボリューション（ＬＴＥ）無線アクセス技術（ＲＡＴ）上でアクティブに通信する手段と、
前記ＬＴＥＲＡＴが、アップリンクのタイムスロットの間に通信するようにスケジューリングされていないときに、使用されていないＬＴＥサブフレームの間にワイヤレスローカルエリアネットワーク（ＷＬＡＮ）ＲＡＴ上でアクティブに通信する手段と、
ＷＬＡＮ無線とＷＬＡＮアクセスポイントとの間での、電力セーブポールメッセージの使用を通して、前記ＷＬＡＮ無線の通信を制御する手段と、
ＬＴＥアップリンクのタイムスロットと同時に起こっている時間期間の間に、前記電力セーブポールメッセージ及び肯定応答メッセージを送信する手段と
を具備する装置。
【請求項９】
コンピュータにワイヤレス通信を実行させるコンピュータプログラムを記憶する一時的ではないコンピュータ読み取り可能記憶媒体であって、
前記コンピュータプログラムは、
ロングタームエボリューション（ＬＴＥ）無線アクセス技術（ＲＡＴ）上でアクティブに通信するためのプログラムコードと、
前記ＬＴＥＲＡＴが、アップリンクのタイムスロットの間に通信するようにスケジューリングされていないときに、使用されていないＬＴＥサブフレームの間にワイヤレスローカルエリアネットワーク（ＷＬＡＮ）ＲＡＴ上でアクティブに通信するためのプログラムコードと、
ＷＬＡＮ無線とＷＬＡＮアクセスポイントとの間での、電力セーブポールメッセージの使用を通して、前記ＷＬＡＮ無線の通信を制御するためのプログラムコードと、
ＬＴＥアップリンクのタイムスロットと同時に起こっている時間期間の間に、前記電力セーブポールメッセージ及び肯定応答メッセージを送信するためのプログラムコードと
を含むコンピュータ読み取り可能記憶媒体。
【請求項１０】
ワイヤレス通信ネットワーク中での動作のために構成されている装置において、
前記装置は、
メモリと、
前記メモリに結合されている少なくとも１つのプロセッサとを具備し、
前記少なくとも１つのプロセッサは、
ロングタームエボリューション（ＬＴＥ）無線アクセス技術（ＲＡＴ）上でアクティブに通信し、
前記ＬＴＥＲＡＴが、アップリンクのタイムスロットの間に通信するようにスケジューリングされていないときに、使用されていないＬＴＥアップリンクサブフレームの間にワイヤレスローカルエリアネットワーク（ＷＬＡＮ）ＲＡＴ上でアクティブに通信し、
ＷＬＡＮ無線とＷＬＡＮアクセスポイントとの間での、電力セーブポールメッセージの使用を通して、前記ＷＬＡＮ無線の通信を制御し、
ＬＴＥアップリンクのタイムスロットと同時に起こっている時間期間の間に、前記電力セーブポールメッセージ及び肯定応答メッセージを送信するように構成されている装置。
【請求項１１】
ワイヤレス通信ネットワーク中での動作のために構成されている装置において、
前記装置は、
メモリと、
前記メモリに結合されている少なくとも１つのプロセッサとを具備し、
前記少なくとも１つのプロセッサは、
ロングタームエボリューション（ＬＴＥ）無線アクセス技術（ＲＡＴ）上でアクティブに通信し、
前記ＬＴＥＲＡＴが、アップリンクのタイムスロットの間に通信するようにスケジューリングされていないときに、使用されていないＬＴＥアップリンクサブフレームの間にワイヤレスローカルエリアネットワーク（ＷＬＡＮ）ＲＡＴ上でアクティブに通信し、
ＷＬＡＮ無線とＷＬＡＮアクセスポイントとの間での、電力セーブポールメッセージの使用を通して、前記ＷＬＡＮ無線の通信を制御し、
ＬＴＥアップリンクのタイムスロットと同時に起こっている時間期間の間に、電力セーブポールメッセージまたは肯定応答メッセージをスケジューリングすることが可能でないときに、ＬＴＥダウンリンクのタイムスロットと同時に起こっている時間期間の間に、前記電力セーブポールメッセージまたは前記肯定応答メッセージを送信し、
前記ＬＴＥダウンリンクのタイムスロットと同時に起こっている前記時間期間の間に、ＬＴＥ動作をブランキングするように構成されている装置。
【請求項１２】
前記肯定応答メッセージは、集約されている肯定応答メッセージを含む請求項１０記載の装置。
【請求項１３】
前記少なくとも１つのプロセッサは、
ＷＬＡＮダウンリンク肯定応答メッセージを受信するために、ＬＴＥのアップリンク送信をブランキングするようにさらに構成されている請求項１０記載の装置。
【請求項１４】
前記少なくとも１つのプロセッサは、
ＬＴＥの非アクティブなアップリンクサブフレームと同時に起こっている時間期間の間に、ＷＬＡＮアクセスポイントからの肯定応答メッセージを前記ＷＬＡＮ無線によって受信させるように、前記ＷＬＡＮ無線による送信をスケジューリングするようにさらに構成されている請求項１０記載の装置。
【請求項１５】
前記少なくとも１つのプロセッサは、
アクティブに通信しているときに、エネルギーの尺度として、前記ＬＴＥＲＡＴによってもたらされる干渉のレベルを決定し、
前記ＷＬＡＮＲＡＴのリソースにおけるアクティビティレベルを測定し、
前記ＬＴＥＲＡＴによってもたらされる前記干渉のレベルに対処する間に、前記アクティビティレベルが、しきい値である、または、しきい値よりも低いときに、前記ＬＴＥの干渉に対処するためのエネルギー測定によって前記しきい値をオフセットし、このオフセットされたしきい値と前記アクティビティレベルを比較することにより前記ＷＬＡＮＲＡＴのリソースが非アクティブであることを決定する
ことによって、前記ＷＬＡＮＲＡＴのリソースのアクティビティレベルを決定するようにさらに構成されている請求項１０記載の装置。
【請求項１６】
前記少なくとも１つのプロセッサは、
前記ＬＴＥＲＡＴが通信を停止するように命令されたときの時間期間の間に、前記ＷＬＡＮＲＡＴのリソースにおけるアクティビティレベルを測定することによって、前記ＷＬＡＮＲＡＴのリソースの前記アクティビティレベルを決定するようにさらに構成されている請求項１０記載の装置。
【発明の詳細な説明】
【関連出願に対する相互参照】
【０００１】
本出願は、２０１０年３月３０日に出願された、「 ＬＴＥおよびＷＬＡＮの共存の解決」と題する米国仮特許出願番号第 ６１／３１９，１２３の利益を主張する。この開示は、その全体の参照によりここに明確に組み込まれている。
【技術分野】
【０００２】
本記述は、一般的に、マルチ無線技術に関連し、さらに詳細に述べると、マルチ無線デバイスのための共存技術に関連する。
【背景】
【０００３】
音声、データ等のような、さまざまなタイプの通信コンテンツを提供するために、ワイヤレス通信システムが広範囲に展開されている。 これらのシステムは、利用可能なシステムリソース（例えば、バンド幅および送信電力）を共有することによって、複数のユーザとの通信をサポートできる多元接続システムであってもよい。このような多元接続システムの例は、コード分割多元接続（ＣＤＭＡ）システムや、時分割多元接続（ＴＤＭＡ）システムや、周波数分割多元接続（ＦＤＭＡ）システムや、３ＧＰＰロングタームエボリューション（ＬＴＥ）システムや、直交周波数分割多元接続（ＯＦＤＭＡ）システムを含む。
【０００４】
一般的に、ワイヤレス多元接続通信システムは、複数のワイヤレス端末に対して通信を同時にサポートできる。それぞれの端末は、フォワードリンクおよびリバースリンク上での送信を通して、１つ以上の基地局と通信する。フォーワードリンク（すなわち、ダウンリンク）は、基地局から端末への通信リンクのことを意味し、リバースリンク（すなわち、アップリンク）は、端末から基地局への通信リンクのことを意味する。この通信リンクは、単一入力単一出力、複数入力単一出力、または、複数入力複数出力（ＭＩＭＯ）システムによって確立されてもよい。
【０００５】
いくつかの従来のアドバンスドデバイスは、異なる無線アクセス技術（ＲＡＴ）を使用して、送信／受信するための複数の無線を備える。ＲＡＴの例は、例えば、ユニバーサル移動体電気通信システム（ＵＭＴＳ）、グローバルシステムフォーモバイル通信（ＧＳＭ）（登録商標）、ｃｄｍａ２０００、ＷｉＭＡＸ、ＷＬＡＮ（例えば、ＷｉＦｉ）、ブルートゥース（登録商標）、ＬＴＥ、およびこれらに類するものを含む。
【０００６】
移動体デバイスの例は、第４世代（４Ｇ）移動体電話機のような、ＬＴＥユーザ機器（ＵＥ）を含む。このような４Ｇ電話機は、さまざまな機能をユーザに提供するためのさまざまな無線を備えていてもよい。この例の目的のために、４Ｇ電話機は、音声およびデータ用のＬＴＥ無線、ＩＥＥＥ８０２．１１（ＷｉＦｉ）無線、グローバルポジショニングシステム（ＧＰＳ）無線、およびブルートゥース無線を備え、上のうちの２つ、または、４つすべてが、同時に動作することがある。異なる無線が、電話機に有用な機能性を提供する一方で、単一のデバイス中にそれらが含まれていることが共存問題を引き起こす。特に、１つの無線の動作は、いくつかのケースでは、放射、電導、リソースの衝突、および／または他の干渉メカニズムを通して、別の無線の動作に干渉するかもしれない。共存問題は、このような干渉を含む。
【０００７】
これは、特に、産業科学医療（ＩＳＭ）バンドの近傍にあり、かつ、それらに干渉を生じさせることがある、ＬＴＥアップリンクチャネルに当てはまる。ブルートゥースおよびいくつかのワイヤレスＬＡＮ（ＷＬＡＮ）チャネルは、ＩＳＭバンド内にあることに留意されたい。いくつかの事例では、いくつかのブルートゥースチャネル条件では、バンド７の、または、バンド４０でさえのいくつかのチャネルにおいてＬＴＥがアクティブであるとき、ブルートゥースエラーレートは受け入れ不可能になることがある。たとえ、ＬＴＥに大きな劣化がないにしても、ブルートゥースとの同時動作は、結果として、ブルートゥースヘッドセット中で音声サービスが終了する、途絶をもたらすことがある。このような途絶は、消費者に受け入れられないかもしれない。ＬＴＥ送信がＧＰＳに干渉したときに、類似した問題が存在する。現在、ＬＴＥはそれだけで何ら劣化を受けないので、この問題を解決できるメカニズムは存在しない。
【０００８】
特にＬＴＥを参照すると、ＵＥは、ダウンリンク上でＵＥによって経験される干渉をｅＮＢに知らせるために、進化したノードＢ（ｅＮＢ；例えば、ワイヤレス通信ネットワーク用の基地局）と通信することに留意されたい。さらには、ｅＮＢは、ダウンリンクエラーレートを使用して、ＵＥにおける干渉を推定することができるかもしれない。いくつかの事例では、ｅＮＢおよびＵＥは、ＵＥ自体内の無線が原因の干渉でさえも、ＵＥにおける干渉を減少させる解決を見出すように協働することができる。しかしながら、従来のＬＴＥでは、ダウンリンクに関する干渉推定は、干渉を包括的に取り扱うのに適してないかもしれない。
【０００９】
１つの事例では、ＬＴＥアップリンク信号は、ブルートゥース信号またはＷＬＡＮ信号に干渉する。しかしながら、このような干渉は、ｅＮＢにおけるダウンリンク測定報告に反映されない。結果として、（例えば、アップリンク信号を異なるチャネルに移行させる、）ＵＥの側での一方的なアクションは、ｅＮＢによって阻止されるかもしれない。このｅＮＢは、アップリンク共存問題を認識しておらず、一方的なアクションを元に戻そうとする。例えば、異なる周波数チャネル上での接続をＵＥが再構築する場合でさえも、ネットワークは、デバイス中の干渉によって損なわれた元々の周波数チャネルに戻すようにＵＥを依然としてハンドオーバーすることがある。これは、損なわれたチャネル上での所望の信号強度が、時には、ｅＮＢへの、基準信号受信電力（ＲＳＲＰ）に基づく新しいチャネルの測定報告に、より高く反映されることがあるので、起こりうるシナリオである。したがって、ｅＮＢがＲＳＲＰ報告を使用してハンドオーバーの決定を行う場合に、損なわれたチャネルと所望のチャネルとの間で行ったり来たりするピンポン効果が起こることがある。
【００１０】
単に、ｅＮＢの調整なくアップリンク通信を停止するような、ＵＥの側の他方の一方的なアクションは、ｅＮＢにおける電力ループの誤動作を生じさせることがある。従来のＬＴＥにおいて存在する付加的な問題は、所望のコンフィギュレーションを、共存問題を持つコンフィギュレーションの代替として提案するための、ＵＥの側の能力の全般的な欠如を含む。少なくともこれらの理由で、ＵＥにおけるアップリンク共存問題は、長い時間期間の間、解決されないままであり、ＵＥの他の無線に対する性能および効率を劣化させるかもしれない。
【概要】
【００１１】
本開示の付加的な特徴および利点を以下で記述する。本開示は、本開示の同じ目的を実行する他の構成を修正または設計する根拠として容易に利用できることは、当業者によって正しく認識されるべきである。このような均等な構成が、添付した特許請求の範囲中で述べたような本開示の教示から逸脱していないこともまた、当業者によって認識されるべきである。本開示の特性であると考えられる新規な特徴は、動作の、その編成および方法の双方に関して、付随している図面に関連付けて考慮するときに、さらなる目的および利点とともに、以下の記述からよりよく理解されるだろう。しかしながら、図面のそれぞれは、例示および説明の目的のみのために提供しており、本開示の限定を定義するものとして意図していないことを、明確に理解すべきである。
【００１２】
ワイヤレス通信の方法を提供する。前記方法は、第１の無線アクセス技術（ＲＡＴ）上でアクティブに通信することを含む。前記方法はまた、アップリンクのタイムスロットの間に通信するように前記第１のＲＡＴがスケジューリングされていないときに、第２のＲＡＴ上でアクティブに通信することを含む。
【００１３】
ワイヤレス通信システム中で動作可能な装置を提供する。前記装置は、第１の無線アクセス技術（ＲＡＴ）上でアクティブに通信する手段を備える。前記装置はまた、アップリンクのタイムスロットの間に通信するように前記第１のＲＡＴがスケジューリングされていないときに、第２のＲＡＴ上でアクティブに通信する手段を備える。
【００１４】
ワイヤレス通信のために構成されているコンピュータプログラムプロダクトを提供する。前記コンピュータプログラムプロダクトは、プログラムコードを記録するコンピュータ読み取り可能媒体を備える。前記プログラムコードは、第１の無線アクセス技術（ＲＡＴ）上でアクティブに通信するためのプログラムコードを含む。前記プログラムコードはまた、アップリンクのタイムスロットの間に通信するように前記第１のＲＡＴがスケジューリングされていないときに、第２のＲＡＴ上でアクティブに通信するためのプログラムコードを含む。
【００１５】
ワイヤレス通信ネットワーク中での動作のために構成されている装置を提供する。前記装置は、メモリと、メモリに結合されているプロセッサとを備える。前記プロセッサは、第１の無線アクセス技術（ＲＡＴ）上でアクティブに通信するように構成されている。前記プロセッサはまた、アップリンクのタイムスロットの間に通信するように前記第１のＲＡＴがスケジューリングされていないときに、第２のＲＡＴ上でアクティブに通信するように構成されている。
【００１６】
ワイヤレス通信の方法を提供する。前記方法は、第１の無線アクセス技術（ＲＡＴ）上でアクティブに通信することを含む。前記方法はまた、前記第１のＲＡＴに対してスケジューリングされたダウンリンク時間の間に第２のＲＡＴにデータを受信させるデータ要求を送ることによって、前記第２のＲＡＴ上でアクティブに通信することを含む。
【００１７】
ワイヤレス通信システム中で動作可能な装置を提供する。前記装置は、第１の無線アクセス技術（ＲＡＴ）上でアクティブに通信する手段を備える。前記装置はまた、前記第１のＲＡＴに対してスケジューリングされたダウンリンク時間の間に第２のＲＡＴにデータを受信させるデータ要求を送ることによって、前記第２のＲＡＴ上でアクティブに通信する手段を備える。
【００１８】
ワイヤレス通信のために構成されているコンピュータプログラムプロダクトを提供する。前記コンピュータプログラムプロダクトは、プログラムコードを記録するコンピュータ読み取り可能媒体を備える。前記プログラムコードは、第１の無線アクセス技術（ＲＡＴ）上でアクティブに通信するためのプログラムコードを含む。前記プログラムコードはまた、前記第１のＲＡＴに対してスケジューリングされたダウンリンク時間の間に第２のＲＡＴにデータを受信させるデータ要求を送ることによって、前記第２のＲＡＴ上でアクティブに通信するためのプログラムコードを含む。
【００１９】
ワイヤレス通信ネットワーク中での動作のために構成されている装置を提供する。前記装置は、メモリと、メモリに結合されているプロセッサとを備える。前記プロセッサは、第１の無線アクセス技術（ＲＡＴ）上でアクティブに通信するように構成されている。前記プロセッサはまた、前記第１のＲＡＴに対してスケジューリングされたダウンリンク時間の間に第２のＲＡＴにデータを受信させるデータ要求を送ることによって、前記第２のＲＡＴ上でアクティブに通信するように構成されている。
【図面の簡単な説明】
【００２０】
本開示の特徴、性質、および利点は、同じ参照文字が全体を通して対応しているものを識別している図面と一緒に考慮に入れるときに、以下で述べる詳細な説明からさらに明らかになるであろう。  
【図１】図１は、１つの態様にしたがった、多元接続ワイヤレス通信システムを図示している。
【図２】図２は、１つの態様にしたがった、通信システムのブロック図である。
【図３】図３は、ダウンリンクのロングタームエボリューション（ＬＴＥ）通信における、例示的なフレーム構造を図示している。
【図４】図４は、アップリンクのロングタームエボリューション（ＬＴＥ）通信における例示的なフレーム構造を概念的に図示しているブロック図である。
【図５】図５は、ワイヤレス通信環境の例を図示している。
【図６】図６は、マルチ無線ワイヤレスデバイスの設計の例のブロック図である。
【図７】図７は、所定の決定期間中の、７つの、例の無線間の各潜在的な衝突を示している図表である。
【図８】図８は、経時的な、共存マネージャー（ＣｘＭ）の動作の例を示している図である。
【図９】図９は、１つの態様にしたがった、マルチ無線の共存の管理のための、ワイヤレス通信環境内でのサポートを提供するためのシステムのブロック図である。
【図１０】図１０は、１つの態様にしたがった、ワイヤレス信号を示しているブロック図である。
【図１１】図１１は、１つの態様にしたがった、ワイヤレス信号を示しているブロック図である。
【図１２】図１２は、１つの態様にしたがった、マルチ無線の共存の管理のための、ワイヤレス通信環境内でのサポートを提供するシステムのブロック図である。
【図１３】図１３は、１つの態様にしたがった、マルチ無線の共存の管理のための、ワイヤレス通信環境内でのサポートを提供するシステムのブロック図である。
【詳細な説明】
【００２１】
例えば、ＬＴＥと（例えば、ＢＴ／ＷＬＡＮ用の）産業科学医療（ＩＳＭ）バンドとの間で、重大な、デバイス中の共存問題が存在することがある場合、本開示のさまざまな態様は、マルチ無線デバイス中の共存問題を緩和させるための技術を提供する。上で説明したように、ｅＮＢは、他の無線によって経験される、ＵＥ側の干渉を認識しないので、いくつかの共存問題が残ってしまう。１つの態様にしたがうと、現在のチャネル上で共存問題が存在する場合、ＵＥは、無線リンク故障（ＲＬＦ）を宣言し、新しいチャネルまたは無線アクセス技術（ＲＡＴ）に自律的にアクセスする。ＵＥは、いくつかの例では、以下の理由のためにＲＬＦを宣言することができ、すなわち、１）共存による干渉によってＵＥ受信が影響を受けるため、および、２）ＵＥ送信機が別の無線に、妨害する干渉を生じさせているためである。ＵＥは、その後、新しいチャネルまたはＲＡＴにおける接続を再構築しながら、共存問題を示しているメッセージをｅＮＢに送る。ｅＮＢは、そのメッセージを受信したおかげで共存問題に気づく。
【００２２】
コード分割多元接続（ＣＤＭＡ）ネットワークや、時分割多元接続（ＴＤＭＡ）ネットワークや、周波数分割多元接続（ＦＤＭＡ）ネットワークや、直交ＦＤＭＡ（ＯＦＤＭＡ）ネットワークや、単一搬送波ＦＤＭＡ（ＳＣ−ＦＤＭＡ）ネットワーク等のような、さまざまなワイヤレス通信ネットワークに対して、ここで記述した技術を使用できる。「ネットワーク」および「システム」という用語は、互換性があるように使用されることが多い。ＣＤＭＡネットワークは、ユニバーサル地上無線アクセス（ＵＴＲＡ）、ｃｄｍａ２０００等のような無線技術を実現できる。ＵＴＲＡは、ワイドバンド−ＣＤＭＡ（Ｗ−ＣＤＭＡ）および低チップレート（ＬＣＲ）を含む。ｃｄｍａ２０００は、ＩＳ−２０００や、ＩＳ−９５や、ＩＳ−８５６標準規格をカバーする。ＴＤＭＡネットワークは、グローバルシステムフォーモバイル通信（ＧＳＭ）（登録商標）のような無線技術を実現できる。 ＯＦＤＭＡネットワークは、進化したＵＴＲＡ（Ｅ−ＵＴＲＡ）や、ＩＥＥＥ８０２．１１や、ＩＥＥＥ８０２．１６や、ＩＥＥＥ８０２．２０や、フラッシュ−ＯＦＤＭ等のような無線技術を実現できる。ＵＴＲＡ、Ｅ−ＵＴＲＡ、およびＧＳＭ（登録商標）は、ユニバーサル移動体電気通信システム（ＵＭＴＳ）の一部である。ロングタームエボリューション（ＬＴＥ）は、Ｅ−ＵＴＲＡを使用する、やがて登場するリリースのＵＭＴＳである。 ＵＴＲＡや、Ｅ−ＵＴＲＡや、ＧＳＭや、ＵＭＴＳや、ＬＴＥは、「第３世代パートナーシッププロジェクト」（３ＧＰＰ）と名付けられている機関による文書中に記述されている。ｃｄｍａ２０００は、「第３世代パートナーシッププロジェクト２」（３ＧＰＰ２）と名付けられている機関による文書中に記述されている。これらのさまざまな無線技術および標準規格は、技術的に知られている。明確にするために、この技術のいくつかの態様をＬＴＥについて以下で記述し、以下の記述の一部分ではＬＴＥの専門用語を使用する。
【００２３】
単一搬送波変調および周波数ドメイン等化を利用する技術を利用する単一搬送波周波数分割多元接続（ＳＣ−ＦＤＭＡ）は、ここで記述したさまざまな態様とともに利用できる技術である。ＳＣ−ＦＤＭＡは、ＯＦＤＭＡシステムの複雑さと、類似した性能および実質的に同一の全体的な複雑さとを有する。ＳＣ−ＦＤＭＡ信号は、この固有の単一搬送波構造であるために、より低いピーク対平均電力比（ＰＡＰＲ）を有する。特に、送信電力効率の点で、より低いＰＡＰＲが移動体端末に大いに利益をもたらすアップリンク通信では、ＳＣ−ＦＤＭＡが、大きな注目を集めている。これは、現在、３ＧＰＰロングタームエボリューション（ＬＴＥ）または進化したＵＴＲＡにおけるアップリンク多元接続スキームに対する作業仮説である。
【００２４】
図１を参照すると、１つの態様にしたがった、多元接続ワイヤレス通信システムを図示している。進化したノードＢ１００（ｅＮＢ）は、コンピュータ１１５を備えており、このコンピュータ１１５は、リソースとパラメータとを割り振ることによって、ユーザ機器からの要求を許可／拒否することによって、および／または、これらに類するものによってＬＴＥ通信を管理するための、処理リソースとメモリリソースとを持っている。ｅＮＢ１００は、複数のアンテナグループも持っており、１つのグループはアンテナ１０４とアンテナ１０６とを含み、別のグループはアンテナ１０８とアンテナ１１０とを含み、付加的なグループはアンテナ１１２とアンテナ１１４とを含む。図１では、それぞれのアンテナグループに対して、アンテナを２本のみ示しているが、それぞれのアンテナグループに対して、より多くのアンテナ、または、より少ないアンテナを利用できる。（アクセス端末（ＡＴ）とも呼ばれる）ユーザ機器（ＵＥ）１１６が、アンテナ１１２および１１４と通信しながら、アンテナ１１２および１１４が、アップリンク（ＵＬ）１１８を通して情報をＵＥ１１６に送信する。ＵＥ１２２は、アンテナ１０６および１０８と通信しながら、アンテナ１０６および１０８は、ダウンリンク（ＤＬ）１２６を通してＵＥ１２２に情報を送信し、アップリンク１２４を通してＵＥ１２２からの情報を受信する。ＦＤＤシステムでは、通信リンク１１８、１２０、１２４、および１２６は、通信のために、異なる周波数を使用できる。例えば、ダウンリンク１２０は、アップリンク１１８により使用されるものとは異なる周波数を使用できる。
【００２５】
通信するように設計されている、アンテナおよび／またはエリアのそれぞれのグループは、ｅＮＢのセクタと呼ばれることが多い。この態様では、各アンテナグループは、ｅＮＢ１００によってカバーされているエリアのセクタ中のＵＥに通信するように設計されている。
【００２６】
ダウンリンク１２０および１２６による通信では、異なるＵＥ１１６および１２２に対するアップリンクの信号対ノイズ比を改善させるために、ｅＮＢ１００の送信アンテナは、ビームフォーミングを利用する。また、そのカバレージを通してランダムに散在しているＵＥに送信するためにビームフォーミングを使用しているｅＮＢは、すべてのそのＵＥに対して単一のアンテナを通して送信するＵＥよりも、隣接セルにおけるＵＥに対してより低い干渉を生じさせる。
【００２７】
ｅＮＢは、端末と通信するために使用される固定局とすることができ、アクセスポイント、基地局と呼ばれることもあり、または、他の何らかの専門用語で呼ばれることもある。ＵＥは、アクセス端末、ワイヤレス通信デバイス、端末とも呼ばれることがあり、または他のいくつかの専門用語でも呼ばれることがある。
【００２８】
図２は、ＭＩＭＯシステム２００における、（ｅＮＢとしても知られている）送信機システム２１０と、（ＵＥとしても知られている）受信機システム２５０との態様のブロック図である。いくつかの事例では、ＵＥおよびｅＮＢの両方は、それぞれ、送信機システムと受信機システムとを備えるトランシーバを持っている。送信機システム２１０において、多数のデータストリームに対するトラフィックデータを、データソース２１２から送信（ＴＸ）データプロセッサ２１４に提供する。
【００２９】
ＭＩＭＯシステムは、データ送信のために、複数（ＮT 本）の送信アンテナおよび複数（ＮR 本）の受信アンテナを用いる。ＮT 本の送信アンテナおよびＮR 本の受信アンテナによって形成されるＭＩＭＯチャネルは、ＮS 個の独立チャネルに分解されてもよく、これを空間チャネルとも呼び、ここでは、ＮS ≦ｍｉｎ｛ＮT ，ＮR ｝である。ＮS 個の独立チャネルのそれぞれは、次元に対応する。複数の送信アンテナおよび受信アンテナによって生成される付加的な次元が利用される場合、ＭＩＭＯシステムは、改善した性能（例えば、より高いスループットおよび／またはより高い信頼性）を提供できる。
【００３０】
ＭＩＭＯシステムは、時分割デュプレクス（ＴＤＤ）システムおよび周波数分割デュプレクス（ＦＤＤ）システムをサポートする。ＴＤＤシステムでは、相互関係の原理によって、アップリンクチャネルからのダウンリンクチャネルの推定が可能になるように、アップリンクおよびダウンリンクの送信は、同じ周波数領域上でなされる。これによって、複数のアンテナがｅＮＢにおいて利用可能であるときに、ｅＮＢが、ダウンリンク上で送信ビームフォーミング利得を抽出することが可能になる。
【００３１】
１つの態様では、それぞれのデータストリームは、各送信アンテナを通して送信される。ＴＸデータプロセッサ２１４は、そのデータストリームに対して選択された特定のコーディングスキームに基づいて、それぞれのデータストリームに対するトラフィックデータをフォーマット化し、コード化し、インターリーブして、コード化されたデータを提供する。
【００３２】
それぞれのデータストリームに対するコード化されたデータは、ＯＦＤＭ技術を使用して、パイロットデータにより多重化できる。 パイロットデータは、既知の態様で処理される既知のデータパターンであり、チャネル応答を推定するために受信機システムにおいて使用できる。その後、そのデータストリームに対して選択された特定の変調スキーム（例えば、ＢＰＳＫ、ＱＳＰＫ、Ｍ−ＰＳＫ、またはＭ−ＱＡＭ）に基づいて、それぞれのデータストリームに対する、多重化されたパイロットおよびコード化されたデータを変調（例えば、シンボルマッピング）し、変調シンボルを提供する。それぞれのデータストリームに対する、データレート、コーディング、および変調を、メモリ２３２と動作するプロセッサ２３０により実行される命令によって決定できる。
【００３３】
各データストリームに対する変調シンボルを、その後、ＴＸ  ＭＩＭＯプロセッサ２２０に提供し、ＴＸ  ＭＩＭＯプロセッサ２２０が、（例えば、ＯＦＤＭ等のために）変調シンボルをさらに処理できる。ＴＸ  ＭＩＭＯプロセッサ２２０は、その後、ＮT 個の変調シンボルストリームをＮT 個の送信機（ＴＭＴＲ）２２２ａないし２２２ｔに提供する。いくつかの態様では、ＴＸ ＭＩＭＯプロセッサ２２０は、データストリームのシンボルに、および、シンボルが送信されているアンテナに、ビームフォーミング重みを適用する。
【００３４】
それぞれの送信機２２２は、各シンボルストリームを受け取り、処理して、１つ以上のアナログ信号を提供し、アナログ信号をさらに調整（例えば、増幅、フィルタリング、アップコンバート）し、ＭＩＭＯチャネルを通した送信に適した変調信号を提供する。送信機２２２ａないし２２２ｔからのＮT 個の変調信号は、その後、それぞれ、ＮT 本のアンテナ２２４ａないし２２４ｔから送信される。
【００３５】
受信機システム２５０において、変調され送信された信号が、ＮR 本のアンテナ２５２ａないし２５２ｒによって受信され、それぞれのアンテナ２５２からの受信信号が、各受信機（ＲＣＶＲ）２５４ａないし２５４ｒに提供される。それぞれの受信機２５４は、各受信信号を調整（例えば、フィルタリング、増幅、およびダウンコンバート）し、調整した信号をデジタル化して、サンプルを提供し、サンプルをさらに処理して、対応する「受信」シンボルストリームを提供する。
【００３６】
ＲＸデータプロセッサ２６０は、その後、特定の受信機処理技術に基づいて、ＮR 個の受信機２５４からＮR 個の受信シンボルストリームを受け取り、処理して、ＮR 個の「検出された」シンボルストリームを提供する。ＲＸデータプロセッサ２６０は、その後、それぞれの検出したシンボルストリームを復調し、デインターリーブし、デコードして、データストリームに対するトラフィックデータを復元させる。ＲＸデータプロセッサ２６０による処理は、送信機システム２１０における、ＴＸ ＭＩＭＯプロセッサ２２０およびＴＸ データプロセッサ２１４によって実行される処理に対して相補的である。
【００３７】
（メモリ２７２と動作する）プロセッサ２７０は、周期的に、どの事前コーディングマトリックスを使用するかを決定する（以下で説明する）。プロセッサ２７０は、マトリックスインデックス部分とランク値部分とを有している、アップリンクメッセージを公式化する。
【００３８】
アップリンクメッセージは、通信リンクおよび／または受信データストリームに関するさまざまなタイプの情報を含むことができる。アップリンクメッセージは、その後、ＴＸデータプロセッサ２３８によって処理され、ＴＸデータプロセッサ２３８はまた、多数のデータストリームに対するトラフィックデータをデータソース２３６から受け取り、これは、変調器２８０によって変調され、送信機２５４ａないし２５４ｒによって調整され、送信機システム２１０に返信される。
【００３９】
送信機システム２１０において、受信機システム２５０によって送信されたアップリンクメッセージを抽出するために、受信機システム２５０からの変調信号が、アンテナ２２４によって受信され、受信機２２２によって調整され、復調器２４０によって復調され、ＲＸデータプロセッサ２４２によって処理される。プロセッサ２３０は、その後、ビームフォーミング重みを決定するために、どの事前コーディングマトリックスを使用するかを決定し、その後、抽出されたメッセージを処理する。
【００４０】
図３は、ダウンリンクのロングタームエボリューション（ＬＴＥ）通信における例示的なフレーム構造を概念的に図示しているブロック図である。ダウンリンクに対する送信タイムラインは、無線フレームの単位に区分してもよい。 それぞれの無線フレームは、予め定められた持続時間（例えば、１０ミリ秒（ｍｓ））を有していてもよく、０ないし９のインデックスを持つ１０個のサブフレームに区分してもよい。それぞれのサブフレームは、２つのスロットを含んでいてもよい。したがって、それぞれの無線フレームは、０ないし１９のインデックスを持つ２０個のスロットを含んでいてもよい。 それぞれのスロットは、Ｌシンボル期間を、例えば、（図３中で示されているように）通常のサイクリックプレフィックスに対しては７シンボル期間を、または、拡張されたサイクリックプレフィックスに対しては６シンボル期間を含んでいてもよい。それぞれのサブフレームにおける２Ｌシンボル期間に、０ないし２Ｌ−１のインデックスが割り当てられてもよい。利用可能な時間周波数リソースは、リソースブロックに区分されてもよい。それぞれのリソースブロックは、１スロット中で、Ｎ個の副搬送波（例えば、１２個の副搬送波）をカバーしてもよい。
【００４１】
ＬＴＥでは、ｅＮＢは、ｅＮＢにおけるそれぞれのセルに対する、１次同期信号（ＰＳＳ）および２次同期信号（ＳＳＳ）を送信してもよい。図３中に示されているように、ＰＳＳおよびＳＳＳは、通常サイクリックプリフィックスを持つ、それぞれの無線フレームのサブフレーム０および５のそれぞれにおける、シンボル期間６および５中でそれぞれ送られてもよい。セル検出および獲得のために、同期信号がＵＥによって使用されてもよい。ｅＮＢは、サブフレーム０のスロット１におけるシンボル期間０から３中で、物理ブロードキャストチャネル（ＰＢＣＨ）を送ってもよい。ＰＢＣＨは、いくつかのシステム情報を運んでもよい。
【００４２】
ｅＮＢは、ｅＮＢ中のそれぞれのセルに対する、セル特有基準信号（ＣＲＳ）を送ってもよい。通常のサイクリックプレフィックスのケースでは、ＣＲＳは、それぞれのスロットのシンボル０、１、および４中で、拡張したサイクリックプレフィックスでは、それぞれのスロットのシンボル０、１、および３中で送られてもよい。ＣＲＳは、物理チャネルのコヒーレントな復調、タイミングおよび周波数追跡、無線リンクモニタリング（ＲＬＭ）、基準信号受信電力（ＲＳＲＰ）、ならびに基準信号受信品質（ＲＳＲＱ）測定等のために、ＵＥによって使用されてもよい。
【００４３】
ｅＮＢは、図３中で見られるように、それぞれのサブフレームの第１のシンボル期間中で、物理制御フォーマットインジケータチャネル（ＰＣＦＩＣＨ）を送ってもよい。ＰＣＦＩＣＨは、制御チャネルに対して使用されるシンボル期間の数（Ｍ）を伝えてもよく、ここで、Ｍはまた、１、２、または３に等しくてもよく、サブフレームに応じて変化してもよい。例えば、１０個のリソースブロックよりも少ない、小さいシステムバンド幅に対しては、Ｍは、４に等しくてもよい。図３中で示されている例では、Ｍ＝３である。ｅＮＢは、それぞれのサブフレームの最初のＭシンボル期間中で、物理ＨＡＲＱインジケータチャネル（ＰＨＩＣＨ）および物理ダウンリンク制御チャネル（ＰＤＣＣＨ）を送ってもよい。ＰＤＣＣＨおよびＰＨＩＣＨは、図３中で示されている例では、最初の３つのシンボル期間中にも含まれている。ＰＨＩＣＨは、ハイブリッド自動報告要求（ＨＡＲＱ）をサポートするための情報を運んでもよい。ＰＤＣＣＨは、ＵＥに対するリソース割り振りに関する情報と、ダウンリンクチャネルに対する制御情報とを運んでもよい。ｅＮＢは、それぞれのサブフレームの残りのシンボル期間中で、物理ダウンリンク共有チャネル（ＰＤＳＣＨ）も送ってもよい。ＰＤＳＣＨは、ダウンリンク上でのデータ送信のためにスケジューリングされた、ＵＥに対するデータを運んでもよい。ＬＴＥにおける、さまざまな信号およびチャネルは、「進化したユニバーサル地上無線アクセス（Ｅ−ＵＴＲＡ）；物理チャネルおよび変調」と題する、３ＧＰＰ ＴＳ ３６．２１１中で記述されており、これは、公的に入手可能である。
【００４４】
ｅＮＢは、ｅＮＢによって使用されるシステムバンド幅の中心の１．０８ＭＨｚにおいて、ＰＳＳ、ＳＳＳ、およびＰＢＣＨを送ってもよい。ｅＮＢは、これらのチャネルが送られるそれぞれのシンボル期間中で、システムバンド幅全体にわたって、ＰＣＦＩＣＨとＰＨＩＣＨとを送ってもよい。ｅＮＢは、システムバンド幅のある一部において、ＵＥのグループにＰＤＣＣＨを送ってもよい。ｅＮＢは、システムバンド幅の特定の部分において、特定のＵＥにＰＤＳＣＨを送ってもよい。ｅＮＢは、ブロードキャスト態様で、ＰＳＳ、ＳＳＳ、ＰＢＣＨ、ＰＣＦＩＣＨ、およびＰＨＩＣＨをすべてのＵＥに送ってもよく、ユニキャスト態様で、特定のＵＥにＰＤＣＣＨを送ってもよく、ユニキャスト態様で、特定のＵＥにＰＤＳＣＨも送ってもよい。
【００４５】
多数のリソースエレメントは、それぞれのシンボル期間中で利用可能であってもよい。それぞれのリソースエレメントは、１シンボル期間中で１副搬送波をカバーしてもよく、１つの変調シンボルを送るために使用してもよい。この１つの変調シンボルは、実数値または複素数値であってもよい。それぞれのシンボル期間中で基準信号に対して使用されないリソースエレメントは、リソースエレメントグループ（ＲＥＧ）中に配置してもよい。それぞれのＲＥＧは、１シンボル期間中で４つのリソースエレメントを含んでいてもよい。ＰＣＦＩＣＨは、４つのＲＥＧを占めていてもよく、これらは、シンボル期間０中で、周波数全体にわたっておおよそ等しく空間が空けられてもよい。ＰＨＩＣＨは、３つのＲＥＧを占めていてもよく、これらは、１つ以上の構成可能なシンボル期間中で、周波数全体にわたって拡散させてもよい。例えば、ＰＨＩＣＨに対する３つのＲＥＧは、シンボル期間０にすべて属していてもよく、または、シンボル期間０、１、および２中で拡散させてもよい。ＰＤＣＣＨは、９、１８、３２または６４ＲＥＧを占めていてもよく、これらは、最初のＭシンボル期間中で、利用可能なＲＥＧから選択されてもよい。ＰＤＣＣＨに対して、ＲＥＧのある組み合わせだけを許容してもよい。
【００４６】
ＵＥは、ＰＨＩＣＨとＰＣＦＩＣＨとに対して使用される特定のＲＥＧを知っていてもよい。ＵＥは、ＰＤＣＣＨに対するＲＥＧの異なる組み合わせをサーチしてもよい。サーチする組み合わせの数は、典型的には、ＰＤＣＣＨに対して許容される組み合わせの数よりも少ない。ｅＮＢは、ＵＥがサーチするだろう組み合わせのうちの任意のもので、ＰＤＣＣＨをＵＥに送ってもよい。
【００４７】
図４は、アップリンクのロングタームエボリューション（ＬＴＥ）通信における例示的なフレーム構造３００を概念的に図示しているブロック図である。アップリンクに対して利用可能なリソースブロック（ＲＢ）は、データセクションと制御セクションとに区分してもよい。制御セクションは、システムバンド幅の２つの端において形成されていてもよく、構成可能なサイズを持っていてもよい。制御情報の送信のために、制御セクションにおけるリソースブロックをＵＥに割り当ててもよい。データセクションは、制御セクション中に含まれていないすべてのリソースブロックを含んでいてもよい。図４における設計は、結果として、連続的な副搬送波を含むデータセクションとなり、これは、データセクション中で、連続的な副搬送波のすべてを単一のＵＥに割り当てることを可能にしてもよい。
【００４８】
ＵＥは、制御セクション中で、制御情報をｅＮＢに送信するためのリソースブロックが割り当てられてもよい。また、ＵＥは、データセクション中で、データをｅノードＢに送信するためのリソースブロックが割り当てられてもよい。ＵＥは、制御セクション中の割り当てられたリソースブロック上の物理アップリンク制御チャネル（ＰＵＣＣＨ）中で制御情報を送信してもよい。ＵＥは、データセクション中の割り当てられたリソースブロック上の物理アップリンク共有チャネル（ＰＵＳＣＨ）中で、データだけを、または、データおよび制御情報の両方を送信してもよい。図４中で示されているように、アップリンク送信は、サブフレームの両方のスロットに及んでもよく、周波数にわたってホップしてもよい。
【００４９】
ＬＴＥにおける、ＰＳＳ、ＳＳＳ、ＣＲＳ、ＰＢＣＨ、ＰＵＣＣＨ、およびＰＵＳＣＨは、「進化したユニバーサル地上無線アクセス（Ｅ−ＵＴＲＡ）；物理チャネルおよび変調」と題する、３ＧＰＰ ＴＳ ３６．２１１中で記述されており、これは、公的に入手可能である。
【００５０】
ある態様では、マルチ無線の共存の解決を促進するために、３ＧＰＰ ＬＴＥ環境またはこれに類するもののような、ワイヤレス通信環境内でサポートを提供するためのシステムおよび方法をここで記述する。
【００５１】
これから図５を参照すると、ここで記述したさまざまな態様が機能できる、例のワイヤレス通信環境５００を図示している。ワイヤレス通信環境５００は、ワイヤレスデバイス５１０を含むことができ、このワイヤレスデバイス５１０は、複数の通信システムと通信することができる。これらのシステムは、例えば、１つ以上のセルラシステム５２０および／または５３０、１つ以上のＷＬＡＮシステム５４０および／または５５０、１つ以上のワイヤレスパーソナルエリアネットワーク（ＷＰＡＮ）システム５６０、１つ以上のブロードキャストシステム５７０、１つ以上の衛星ポジショニングシステム５８０、図５中では示されていない他のシステム、または、これらの任意の組み合わせを含むことができる。以下の記述では、「ネットワーク」や「システム」という用語は、互換性があるように使用されることが多いことを正しく認識すべきである。
【００５２】
セルラシステム５２０および５３０は、それぞれ、ＣＤＭＡ、ＴＤＭＡ、ＦＤＭＡ、ＯＦＤＭＡ、単一搬送波ＦＤＭＡ（ＳＣ−ＦＤＭＡ）、または、他の適したシステムとすることができる。ＣＤＭＡシステムは、ユニバーサル地上無線アクセス（ＵＴＲＡ）、ｃｄｍａ２０００等のような無線技術を実現できる。ＵＴＲＡは、ワイドバンドＣＤＭＡ（ＷＣＤＭＡ）や、ＣＤＭＡの他の変形を含む。さらに、ｃｄｍａ２０００は、ＩＳ−２０００（ＣＤＭＡ２０００ １Ｘ）、ＩＳ−９５、およびＩＳ−８５６（ＨＲＰＤ）標準規格をカバーしている。 ＴＤＭＡシステムは、グローバルシステムフォーモバイル通信（ＧＳＭ）（登録商標）、デジタルアドバンスド移動体電話機システム（Ｄ−ＡＭＰＳ）等のような無線技術を実現できる。ＯＦＤＭＡシステムは、進化したＵＴＲＡ（Ｅ- ＵＴＲＡ）、ウルトラモバイルブロードバンド（ＵＭＢ）、ＩＥＥＥ８０２．１６（ＷｉＭＡＸ）、ＩＥＥＥ８０２．２０、フラッシュ−ＯＦＤＭ等のような無線技術を実現できる。ＵＴＲＡおよびＥ−ＵＴＲＡは、ユニバーサル移動体電気通信システム（ＵＭＴＳ）の一部である。３ＧＰＰロングタームエボリューション（ＬＴＥ）およびＬＴＥ−アドバンスド（ＬＴＥ−Ａ）は、Ｅ−ＵＴＲＡを使用する、ＵＭＴＳの新しいリリースである。 ＵＴＲＡや、Ｅ−ＵＴＲＡや、ＵＭＴＳや、ＬＴＥや、ＬＴＥ−Ａや、ＧＳＭは、「第３世代パートナーシッププロジェクト」（３ＧＰＰ）と名付けられている機関による文書中に記述されている。ｃｄｍａ２０００およびＵＭＢは、「第３世代パートナーシッププロジェクト２」（３ＧＰＰ２）と名付けられている機関による文書中に記述されている。ある態様では、セルラシステム５２０は多数の基地局５２２を含むことができ、この多数の基地局５２２は、それらのカバレッジ内のワイヤレスデバイスの双方向通信をサポートできる。同様に、セルラシステム５３０は多数の基地局５３２を含むことができ、この多数の基地局５３２は、それらのカバレッジ内のワイヤレスデバイスに対する双方向通信をサポートできる。
【００５３】
ＷＬＡＮシステム５４０および５５０は、ＩＥＥＥ８０２．１１（ＷｉＦｉ）、Ｈｉｐｅｒｌａｎ等のような無線技術をそれぞれ実現できる。ＷＬＡＮシステム５４０は、双方向通信をサポートできる１つ以上のアクセスポイント５４２を含むことができる。同様に、ＷＬＡＮシステム５５０は、双方向通信をサポートできる、１つ以上のアクセスポイント５５２を含むことができる。ＷＰＡＮシステム５６０は、ブルートゥース（ＢＴ）、ＩＥＥＥ８０２．１５等のような無線技術を実現できる。さらに、ＷＰＡＮシステム５６０は、ワイヤレスデバイス５１０、ヘッドセット５６２、コンピュータ５６４、マウス５６６、またはこれらに類するもののような、さまざまなデバイスに対する双方向通信をサポートできる。
【００５４】
ブロードキャストシステム５７０は、テレビジョン（ＴＶ）ブロードキャストシステム、周波数変調（ＦＭ）ブロードキャストシステム、デジタルブロードキャストシステム等とすることができる。デジタルブロードキャストシステムは、ＭｅｄｉａＦＬＯ（登録商標）、ハンドヘルドのためのデジタルビデオブロードキャスティング（ＤＶＢ−Ｈ）、デジタル地上テレビ放送のための統合サービスデジタルブロードキャスティング（ＩＳＤＢ−Ｔ）、またはこれらに類するもののような無線技術を実現できる。さらに、ブロードキャストシステム５７０は、一方向通信をサポートできる１つ以上のブロードキャスト局５７２を含むことができる。
【００５５】
衛星ポジショニングシステム５８０は、アメリカ合衆国のグローバルポジショニングシステム（ＧＰＳ）、欧州のＧａｌｉｅｏシステム、ロシアのＧＬＯＮＡＳＳシステム、日本による準天頂衛星システム（ＱＺＳＳ）、インドによるインドの地域的測位衛星システム（ＩＲＮＳＳ）、中国によるＢｅｉｄｏｕシステム、および／または、他の何らかの適したシステムとすることができる。さらに、衛星ポジショニングシステム５８０は、ポジション決定のための信号を送信する、多数の衛星５８２を含むことができる。
【００５６】
ある態様では、ワイヤレスデバイス５１０は、据置型のものと、または、移動型のものとすることができ、ユーザ機器（ＵＥ）、移動局、移動機器、端末、アクセス端末、加入者ユニット、局と呼ぶこともある。ワイヤレスデバイス５１０は、セルラ電話機、パーソナルデジタルアシスタンス（ＰＤＡ）、ワイヤレスモデム、ハンドヘルドデバイス、ラップトップコンピュータ、コードレス電話機、ワイヤレスローカルループ（ＷＬＬ）局等とすることができる。加えて、ワイヤレスデバイス５１０は、セルラシステム５２０および／または５３０、ＷＬＡＮシステム５４０および／または５５０、ＷＰＡＮシステム５６０を持つデバイス、および／または、他の何らかの適したシステム、および／または、デバイス、との二方向通信に従事することができる。ワイヤレスデバイス５１０は、付加的に、または、代替的に、ブロードキャストシステム５７０および／または衛星ポジショニングシステム５８０から信号を受信することができる。一般的に、ワイヤレスデバイス５１０は、任意の所定の時に任意の数のシステムと通信できることを正しく認識することができる。また、ワイヤレスデバイス５１０は、同じ時間において動作する、その構成要素の無線デバイスのうちのさまざまなものの間で、共存問題を経験するかもしれない。したがって、デバイス５１０は、（示されていないＣｘＭ）共存マネージャーを備え、この（示されていないＣｘＭ）共存マネージャーは、さらに以下で説明するような、共存課題を検出および緩和させるための機能モジュールを持つ。
【００５７】
次に図６を見ると、マルチ無線ワイヤレスデバイス６００の設計の例を図示しており、図５の無線５１０のインプリメンテーションとして使用され得るブロック図が提供されている。図６が図示しているように、ワイヤレスデバイス６００は、Ｎ個の無線６２０ａないし６２０ｎを含むことができ、これらは、それぞれ、Ｎ本のアンテナ６１０ａないし６１０ｎに結合させることができる。ここで、Ｎは、任意の整数値とすることができる。しかしながら、その各無線６２０は、任意の数のアンテナ６１０に結合させることができ、そして、その複数の無線６２０は、所定のアンテナ６１０を共有もできることを正しく認識すべきである。
【００５８】
一般的に、無線６２０は、電磁気スペクトルにおけるエネルギーを放射または発し、電磁気スペクトルにおけるエネルギーを受信し、あるいは、伝導手段を通して伝播するエネルギーを発生させるユニットとすることができる。例として、無線６２０は、システムまたはデバイスに信号を送信するユニットと、あるいは、システムまたはデバイスから信号を受信するユニットとすることができる。したがって、ワイヤレス通信をサポートするために、無線６２０を利用できることを正しく認識することができる。別の例では、無線６２０は、他の無線の性能に影響を与えることがあるノイズを発するユニット（例えば、コンピュータ上のスクリーン、回路基板等）とすることもできる。したがって、無線６２０はまた、ワイヤレス通信をサポートせずにノイズおよび干渉を発するユニットとすることができることをさらに正しく認識することができる。
【００５９】
ある態様では、各無線６２０は、１つ以上のシステムとの通信をサポートできる。例えば、異なる周波数バンド（例えば、セルラおよびＰＣＳバンド）上で送信または受信するために、複数の無線６２０は、所定のシステムに対して、付加的に、または、代替的に使用することができる。
【００６０】
別の態様では、デジタルプロセッサ６３０は、無線６２０ａないし６２０ｎに結合させることができ、無線６２０を通して送信されているまたは受信されているデータに対する処理のような、さまざまな機能を実行することができる。それぞれの無線６２０に対する処理は、その無線によってサポートされている無線技術に依存することができ、かつ、送信機に対する暗号化、エンコーディング、変調等；受信機に対する、復調、デコーディング、解読等、または、これらに類するものを含むことができる。１つの例では、デジタルプロセッサ６３０は、ＣｘＭ６４０を備えることができ、このＣｘＭ６４０は、ここで概して記述したように、ワイヤレスデバイス６００の性能を改善させるために、無線６２０の動作を制御できる。ＣｘＭ６４０は、データベース６４４へのアクセスを持つことができ、このデータベース６４４は、無線６２０の動作を制御するために使用される情報を記憶できる。以下でさらに説明するように、ＣｘＭ６４０は、無線間の干渉を減少させるためのさまざまな技術に適合させることができる。１つの例では、ＣｘＭ６４０は、ＬＴＥの非アクティブ期間の間にＩＳＭ無線が通信することを可能にする、測定ギャップパターンまたはＤＲＸサイクルを要求する。
【００６１】
簡略化のために、図６では、デジタルプロセッサ６３０を単一のプロセッサとして示している。しかしながら、デジタルプロセッサ６３０は、任意の数のプロセッサ、制御装置、メモリ等を備えることができることを正しく認識すべきである。１つの例では、制御装置／プロセッサ６５０は、ワイヤレスデバイス６００内のさまざまなユニットの動作を指示することができる。付加的に、または、代替的に、メモリ６５２は、ワイヤレスデバイス６００に対する、プログラムコードおよびデータを記憶できる。デジタルプロセッサ６３０、制御装置／プロセッサ６５０、およびメモリ６５２は、１つ以上の集積回路（ＩＣ）、特定用途向け集積回路（ＡＳＩＣ）等上で実現できる。特定の、限定していない例として、デジタルプロセッサ６３０は、移動局モデム（ＭＳＭ）ＡＳＩＣ上で実現することができる。
【００６２】
ある態様では、干渉、および／または、各無線６２０間の衝突に関係する、他の性能劣化を回避するために、ＣｘＭ６４０は、ワイヤレスデバイス６００によって利用される各無線６２０の動作を管理することができる。ＣｘＭ６４０は、図１３中で図示されているプロセスのような、１つ以上のプロセスを実行してもよい。さらなる例示として、図７中の図表７００は、所定の決定期間中の、７個の例示的な無線間の各潜在的な衝突を表現している。図表７００中で示されている例では、７個の無線は、ＷＬＡＮ送信機（Ｔｗ）、ＬＴＥ送信機（Ｔｌ）、ＦＭ送信機（Ｔｆ）、ＧＳＭ／ＷＣＤＭＡ送信機（Ｔｃ／Ｔｗ）、ＬＴＥ受信機（Ｒｌ）、ブルートゥース受信機（Ｒｂ）、およびＧＰＳ受信機（Ｒｇ）を含む。図表７００の左側の４個のノードによって、４個の送信機が表現されている。図表７００の右側の３個のノードによって、３個の受信機が表現されている。
【００６３】
図表７００上で、送信機のノードと受信機のノードとを接続しているブランチによって、送信機と受信機との間の潜在的な衝突を表現している。したがって、図表７００中で示されている例では、衝突は、（１）ＷＬＡＮ送信機（Ｔｗ）とブルートゥース受信機（Ｒｂ）との間；（２）ＬＴＥ送信機（Ｔｌ）とブルートゥース受信機（Ｒｂ）との間；（３）ＷＬＡＮ送信機（Ｔｗ）とＬＴＥ受信機（Ｒｌ）との間；（４）ＦＭ送信機（Ｔｆ）とＧＰＳ受信機（Ｒｇ）との間；（５）ＷＬＡＮ送信機（Ｔｗ）と、ＧＳＭ／ＷＣＤＭＡ送信機（Ｔｃ／Ｔｗ）と、ＧＰＳ受信機（Ｒｇ）との間で存在しているかもしれない。
【００６４】
１つの態様では、例のＣｘＭ６４０は、図８中の図８００によって示されているようなもののような様式で、時間で動作することができる。図８００が図示しているように、ＣｘＭ動作用のタイムラインは、決定ユニット（Ｄｕ）に分割でき、この決定ユニット（Ｄｕ）は、通知を処理する任意の適した、均一の、または、不均一の長さ（例えば、１００μｓ）、および、コマンドをさまざまな無線６２０に提供する応答フェーズ（例えば、２０μｓ）、および／または、評価フェーズにおいて取られるアクションに基づいて実行される他の動作とすることができる。１つの例では、図８００中で示されているタイムラインは、タイムラインの最悪のケースの動作によって規定された待ち時間パラメータを持つことができ、例えば、所定のＤＵにおける通知フェーズの終了にすぐに後続する、所定の無線からの通知を取得するケースにおける応答のタイミングを持つことができる。
【００６５】
例えば、ＬＴＥバンドおよび（例えば、ブルートゥース／ＷＬＡＮ用の）ＩＳＭバンドのようなリソース間では、デバイス中の共存問題が、ＵＥに関して存在することがある。現在のＬＴＥインプリメンテーションでは、ＬＴＥへの何らかの干渉問題が、ＵＥによって報告されるダウンリンク測定値（例えば、基準信号受信品質（ＲＳＲＱ）メトリック等）に、および／または、例えば、共存問題なく、ＬＴＥをチャネルまたはＲＡＴに移行させるための周波数間またはＲＡＴ間のハンドオフ決定を行うためにｅＮＢが使用できるダウンリンクエラーレートに、反映される。しかしながら、例えば、ＬＴＥ ＵＬがブルートゥース／ＷＬＡＮへの干渉を生じさせているものの、ＬＴＥダウンリンクが、ブルートゥース／ＷＬＡＮから何ら干渉を経験していない場合、これらの既存の技術は機能しないだろうことを正しく認識することができる。さらに詳細に述べると、たとえ、ＵＥがＵＬ上でＵＥ自体を別のチャネルに自律的に移行させたとしても、ｅＮＢは、いくつかのケースでは、負荷をバランスさせる目的で、問題のあるチャネルに戻すようにＵＥをハンドオーバーすることがある。いずれのケースにおいても、既存の技術が、問題のあるチャネルのバンド幅の使用を最も効率的な方法で促進しないことを正しく認識することができる。
【００６６】
これから図９を見ると、マルチ無線共存管理のために、ワイヤレス通信環境内でのサポートを提供するためのシステム９００のブロック図を図示している。ある態様では、システム９００は、１つ以上のＵＥ９１０および／またはｅＮＢ９３０を備えることができ、これらは、互いに、および／または、システム９００中の他の何らかのエンティティとの、ＵＬ、ＤＬ、および／または他の何らかの適した通信に従事することができる。１つの例では、ＵＥ９１０および／またはｅＮＢ９３０は、周波数チャネルおよびサブバンドを含み、これらのうちのいくつかは、他の無線リソース（例えば、ブルートゥース無線）に潜在的に衝突していることがある、さまざまなリソースを使用して通信するように動作可能とすることができる。したがって、ＵＥ９１０は、ここで概して記述したような、ＵＥ９１０の複数の無線間の共存を管理するためのさまざまな技術を利用することができる。
【００６７】
少なくとも上の欠点を緩和させるために、 ＵＥ９１０は、ＵＥ９１０内のマルチ無線共存に対するサポートを促進するために、ここで記述した、および、システム９００によって図示されている各特徴を利用することができる。チャネルモニタリングモジュール９１２、チャネル共存アナライザ９１４、状態モニタモジュール９１６、および無線スケジューリングモジュール９１８は、以下で記述したいくつかの例では、ここで説明した態様を実現するために、図６のＣｘＭ６４０のような共存マネージャーの一部として実現してもよい。したがって、例えば、チャネルモニタリングモジュール９１２は、チャネル共存アナライザ９１４および／または他のコンポーネントの助けで、ＵＥ９１０によって利用される１つ以上の通信チャネルをモニタできたり、共存問題について、このようなチャネルをモニタできたりする。状態モニタモジュール９１６は、無線使用の状態（例えば、アクティブ／アイドル状態等）をモニタしてもよく、この無線スケジューリングモジュール９１８は、無線の使用をスケジューリングしてもよい。モニタリングは、干渉が原因で、受け入れ不可能な性能が発生することを、または、発生することが予期されることを認識する。１つの例では、複数の無線を備えるデバイスは、干渉を検出するように装備されている。付加的に、または、代替的に、いくつかの無線が、いくつかのチャネルを使用するときに共存問題が存在することを知るように、デバイスをプログラミングしてもよい。付加的に、または、代替的に、同じ時間において動作しているいくつかの無線が、共存問題を持つであろうことを知るように、デバイスをプログラミングしてもよい。可能な限り衝突を減少または最小化するように、各無線６２０をスケジューリングすることによって各無線６２０間の衝突を管理するために、図９中で示されているモジュールは、ＣｘＭ６４０によって使用されてもよい。
【００６８】
ある態様では、ワイヤレスデバイス６００におけるさまざまな無線６２０は、インフラストラクチャＢＳＳモードまたはこれらに類するもののような、基本サービスセット（ＢＳＳ）モードで動作してもよい。さらに、上で述べたように、ＣｘＭ６４０の１つの目的は、可能な限り無線６２０間の衝突を減少または最小限にすることであってもよい。したがって、ＬＴＥ無線およびＷＬＡＮ無線がインフラストラクチャＢＳＳモードにある場合、すべてのアクティブなアプリケーションおよびトラフィックを単一の技術上でキャンプできるように、ＣｘＭ６４０は、ワイヤレスデバイス６００内での動作を構成してもよい。例えば、ＬＴＥからＷＬＡＮへの、１つ以上のアプリケーションのオフローディングは、いくつかのケースでは、オペレータの視点から望ましいかもしれず、そして、２つの無線間で衝突を回避するかもしれない。付加的に、または、代替的に、単一の技術（例えば、ＷＬＡＮ）を使用することは、いくつかのケースでは、２つの技術を同時に使用したり、共存問題が存在する場合にアービトレートしたりするよりも、より良好な性能を生じさせることがある。
【００６９】
ＭｉＦｉ（例えば、ソフトアクセスポイント（ＡＰ））またはこれらに類するものと同様に、移動体デバイスがインターネット「ホットスポット」として機能するときのような、他の使用のケースにおいて、同時動作を用いてもよい。ＭｉＦｉでは、（アクセスポイントとして動作している）端末は、ＷｉＦｉを使用してローカルデバイスと通信するが、ハードワイヤードケーブルを通してというよりむしろ、ＬＴＥを使用してインターネットに、すなわち、ＬＴＥを使用してワイヤレスバックホールに接続する。このシナリオでは、ＬＴＥおよびＷＬＡＮは、同時に動作する。このようなケースにおいて、いくつかのケースでは、ＷＬＡＮチャネル選択に基づいて、無線管理を達成してもよい。解決は、さまざまなシナリオ（例えば、バンドクラス（ＢＣ）４０）に対しては良く機能するが、他のシナリオ（例えば、ＬＴＥ受信またはこれに類するもののケースでは、ＢＣ７）に対してはあまり好ましくない。したがって、チャネル選択が、可能でない、または、効率的でない場合、いくつかのケースでは、タイムラインのアラインメントおよび／またはアービトレーションを用いてもよい。
【００７０】
ＬＴＥは、２つの無線リソース制御（ＲＲＣ）ステータス、非アクティブ（アイドル）または接続されている、のうちの１つで動作してもよい。これらのステータスは、それぞれ、ＲＲＣ＿ＩＤＬＥおよびＲＲＣ＿ＣＯＮＮＥＣＴＥＤと表現してもよい。３つの異なる使用ケース：（１）ＷＬＡＮがアクティブである間、ＬＴＥはＲＲＣ＿ＩＤＬＥにあり、ページを聞いている；（２）ＷＬＡＮがビーコンをサーチしている／聞いている（アイドル）間、ＬＴＥが、ＲＲＣ＿ＣＯＮＮＥＣＴＥＤにある；（３）ＬＴＥおよびＷＬＡＮの双方ともアクティブである、の文脈中で、ＬＴＥ／ＷＬＡＮ管理のための技術を以下で提供する。
【００７１】
ＬＴＥおよびＷＬＡＮの双方ともアクティブであるかもしれないケースでは、ＬＴＥ／ＷＬＡＮの共存を促進するために、さまざまなアプローチを利用してもよい。図１０、図１１、および図１２は、アクティブな、ＬＴＥ無線とＷＬＡＮ無線との間での共存を管理するための、１次解決策と、２次解決策と、３次解決策とをそれぞれ図示している；しかしながら、他の適した技術を利用してもよいことを正しく認識すべきである。
【００７２】
上で述べたように、ＬＴＥとＷＬＡＮとの間の干渉は、１つのＲＡＴが送信しようとしているときに、および、他のＲＡＴが同じときに受信しようとしているときに発生し、受信無線との干渉を引き起こす。最初に図１０を参照すると、ＢＣ４０における動作に対する、アクティブな、ＬＴＥ無線およびＷＬＡＮ無線の管理のための１次解決策を図示している。図１０００中で示されているように、ＬＴＥ時分割デュプレクス（ＴＤＤ）コンフィギュレーションは、（Ｕによって示されている）アップリンクサブフレーム、（Ｄによって示されている）ダウンリンクサブフレーム、または、（ＳＤおよびＳＵによって示されている、）ダウンリンク部分およびアップリンク部分に分割されている特別なサブフレームに、分割してもよい。いくつかのコンフィギュレーションでは、図１００２中の陰影が付けられているサブフレームによって示されているように、ＬＴＥ無線に対して、フレームのいくつかのサブフレームしか利用可能でない。１つの態様では、ＬＴＥ無線は、特定のアップリンクサブフレームを使用しなくてもよく、そのサブフレームの時間期間が、ＷＬＡＮ無線による使用のために利用可能であることを示してもよい。
【００７３】
図１０中で示されているように、ＷＬＡＮ通信１００４および１００６は、使用されていないＬＴＥのアップリンクサブフレームの間に行われる。これらのサブフレームに対する時間期間が制限されている（例えば、１ミリ秒）ので、いくつかのケースでは、ＷＬＡＮスループットを低下させることがあるが、使用されていないアップリンクサブフレームだけがＷＬＡＮ無線専用であるので、ＬＴＥ性能は、実質的に影響を受けないだろう。典型的には、ＵＥは、ＬＴＥにおいてデータを受信しているであろうときを知らないので、この態様では、使用されていないダウンリンクサブフレームは、ＷＬＡＮ専用でない。したがって、ＵＥは、典型的には、どのダウンリンクサブフレームが使用されないかもしれないかを時間より早く知らない。ＷＬＡＮ無線に対して電力セーブモードに出たり入ったりするために、電力セーブポール（ＰＳポール）メッセージを使用して、ＷＬＡＮ無線とＷＬＡＮアクセスポイント（ＡＰ）との間で通信してもよい。これにより、所望の期間の間の、ＷＬＡＮ無線とＡＰとの間の通信の開始および停止を制御する。ＰＳポールメッセージは、小さいペイロードメッセージであり、この小さいペイロードメッセージは、いったん、ＷＬＡＮ無線が、その局に対するデータがあるという表示をアクセスポイントから受信すると、ＷＬＡＮ無線によって送られる。ＰＳポールメッセージは、局がパケットを受信する準備ができているという表示をアクセスポイントに示す。１次解決策は、ＢＣ７またはＢＣ４０中で、ＬＴＥ通信とともに使用してもよい。（ＦＤＤで動作する、）ＢＣ７におけるＬＴＥ通信では、ＬＴＥダウンリンクのバンド幅がＩＳＭバンドと十分に分離されているので、ＬＴＥ受信とＷＬＡＮ送信との間の干渉はまれである。しかしながら、ＬＴＥのアップリンクでは、ＬＴＥデバイスが、アップリンクサブフレーム中で送信していないであろうことを認識している場合、ＬＴＥデバイスは、ここで記述した技術を使用して、そのサブフレームの間にＷＬＡＮ無線にアクセスを与えてもよい。
【００７４】
次に図１１を見ると、アクティブな、ＬＴＥ無線およびＷＬＡＮ無線の管理のための２次解決策を図示している。図１１中で示されているように、２次解決策は、前に記述した１次解決策を基礎としていてもよく、または、ダウンリンクＷＬＡＮに対するダウンリンク（ＤＬ）ＬＴＥセグメントの利用を加えることによって、独立的に実現してもよい。上で述べたように、ＬＴＥとＷＬＡＮとの間の干渉は、１つのＲＡＴ（無線アクセス技術）が送信しようとしているときに、および、他のＲＡＴが同じときに受信しようとしているときに発生し、受信無線との干渉を引き起こす。両方の無線が受信または送信している場合には、干渉は存在しない。双方の無線がアクティブであるときの管理のための２次解決策を実現するために、この品質を使用してもよい。このような態様では、既知のＬＴＥ ＴＤＤコンフィギュレーション１１００を使用して、ＬＴＥダウンリンク通信と同時に起こるように、ＷＬＡＮダウンリンク通信をスケジューリングする。電力セーブモードおよびＰＳポール機能性は、ＷＬＡＮ無線とアクセスポイントとの間のＷＬＡＮ通信を、この２次解決策に準拠したＬＴＥタイムスロットとアラインさせるように、ＷＬＡＮ無線の動作を制御してもよい。特に、（ＷＬＡＮ ＡＰから、ＵＥにおけるＷＬＡＮ無線への）ＷＬＡＮダウンリンク通信を、ＬＴＥダウンリンク通信とアラインさせてもよい。
【００７５】
ＷＬＡＮ通信の構成によって、いくつかの問題が提示されることがある。記述した態様では、それぞれのＷＬＡＮにより受信されたダウンリンクパケットは、（おおよそ２８μβの長さを持つ）アップリンクＰＳポール表示が先行し、（また、おおよそ２８μβの長さを持つ）アップリンク肯定応答（ＵＬ ＡＣＫ）が後続する。秒あたり５４メガビット（Ｍｂｐ）のＷＬＡＮのケースでは、ＷＬＡＮパケットは、おおよそ、２００μｓ長である。それらのＷＬＡＮアップリンクエレメント（ＰＳポールメッセージおよびアップリンクＡＣＫ）は、ＬＴＥダウンリンクサブフレームの間に受信するための、ＬＴＥ無線の能力に潜在的に干渉するかもしれない。図１１中では、この結果を図示している。ＷＬＡＮアクティビティ１１０４は、ＬＴＥフレーム１１０２中で示されているような、消去されるいくつかのＬＴＥダウンリンク部分を生じさせる。たとえ、このような消去されるＬＴＥダウンリンク部分が特定のＵＥを対象としていなかったとしても、パイロット信号は、潜在的に消去されるかもしれない。ＬＴＥ復調の際に、消去されるサンプルを回避する（すなわち、ＷＬＡＮが、ＰＳポールメッセージおよび／またはアップリンクＡＣＫを送信していたときに、その時間の間の何らかの受信した信号を廃棄するようにＬＴＥプロセッサに命令する）ことによって、ならびに／あるいは、ＷＬＡＮアップリンクアクティビティの期間の間にＬＴＥ信号中に含まれているかもしれない、損なわれたパイロットを使用することをやめることによって、ＬＴＥ性能を改善させることができる。
【００７６】
ある態様では、ＬＴＥのアップリンクサブフレームの間にＰＳポールメッセージを送るように、および、ＬＴＥダウンリンクサブフレームの間にＷＬＡＮパケットを受信するように、ＷＬＡＮパケットをスケジューリングしてもよく、それにより、ＰＳポールメッセージとＬＴＥダウンリンク受信（Ｒｘ）との間の潜在的な干渉を制限してもよい。ＷＬＡＮ無線によって（ＰＳポールメッセージまたはＡＣＫのような）メッセージを送る前に、ＵＥは、いつ、ＬＴＥ受信が非アクティブであるかを決定し、非アクティブなＬＴＥ受信期間の間にＷＬＡＮアップリンク送信をスケジューリングしてもよい。ＵＥはまた、いつ、ＬＴＥのアップリンク送信（Ｔｘ）が非アクティブであるかを決定してもよく、非アクティブなＬＴＥ Ｔｘ期間の間にＷＬＡＮダウンリンク受信をスケジューリングしてもよい。別の態様では、ＬＴＥの非アクティブなアップリンクサブフレームの間に、ＷＬＡＮアクセスポイントからのＡＣＫメッセージをＷＬＡＮ無線によって受信させるように、ＷＬＡＮ無線による送信をスケジューリングしてもよい。
【００７７】
ある動作の間、特に、ある８０２．１１通信において、多数のパケットに肯定応答する集約されているＡＣＫメッセージが、その局からアクセスポイントに対して許可されてもよい。このケースでは、ＬＴＥのダウンロードセグメントの間に、１つのＰＳポールメッセージが送られてもよく、セグメント内で受信されたパケットに対して、１つの集約されているＡＣＫが送られてもよい。直前のアップリンク期間と同時に起こるように、ＰＳポールメッセージを調整してもよい。同様に、直後のアップリンク期間において、ＡＣＫを調整してもよい。
【００７８】
他のＷＬＡＮ無線によって所望の媒体が現在使用されていないことを、ＷＬＡＮ無線が決定すると、ＷＬＡＮ無線による送信は、典型的には、１度しか発生しない。この決定は、媒体上でアクティビティまたはエネルギーのレベルを感知し、アクティビティレベルをしきい値と比較して、しきい値よりも上であると媒体が決定され、したがって使用中である場合には、ＷＬＡＮ無線によってバックオフに携わり、異なるタイムスロット中で通信を試行しようとすることによって実行されてもよい。しかしながら、アクティブなＬＴＥ送信は、この感知により干渉を生じさせ、次にＷＬＡＮ動作を行うかもしれない。ＷＬＡＮ無線は、ＬＴＥ無線によってもたらされる干渉を測定したり、ＬＴＥ干渉に対処するためのエネルギー測定によってしきい値をオフセットしたりすることによって、この干渉に対処してもよい。このオフセットは、測定されたベースラインの干渉から干渉エネルギーを減算することによって、または、ＬＴＥ干渉をエネルギーしきい値に加算することによって、のいずれかで発生してもよい。別の実施形態では、ＷＬＡＮ媒体上での正確な感知がこの停止の間に発生することができるように、送信するのを停止するようにＬＴＥに命令する。
【００７９】
記述した２次解決策は、上述した１次解決策からの態様と組み合わせて、使用してもよく、または、独立的に実現してもよい。上の２次解決策は、ＬＴＥ通信のために時分割多重化される（ＴＤＤ）スキームに依存していることから、現在、ＢＣ４０でしか用いていないが、ＴＤＤコンフィギュレーションを用いる、他の通信に適している。
【００８０】
アクティブな、ＬＴＥ無線およびＷＬＡＮ無線の管理のための３次解決策も、使用してもよい。アップリンク通信をアラインさせようとする試みもなされる点で、３次解決策は、図１１によって示されている２次解決策に付加的なステップを提供する。すなわち、アクティブなＬＴＥのアップリンクサブフレームの間に、アップリンクのＷＬＡＮ期間をスケジューリングしてもよい。３次解決策は、１次解決策および／または２次解決策と組み合わせて使用してもよく、または、独立的に実現してもよい。
【００８１】
ＷＬＡＮがアップリンクセグメントの間に送信した後、ＷＬＡＮ無線は肯定応答を受信するだろう。この肯定応答は、結果として、肯定応答を受信するための、ＬＴＥのアップリンク送信のブランキングとなるかもしれない。したがって、ある態様では、ＬＴＥのアップリンクスループットは、上の２次解決策について記述したものと類似した態様で、３次解決策によって影響を受けるかもしれない。さらに、ＬＴＥのアップリンクスループットは、いくつかのケースでは、付加的に、媒体感知（例えば、競合）および／またはＷＬＡＮアップリンクＡＣＫを可能にするためのブランキング送信のせいで劣化を受けるかもしれない。ブランキングは、いくつかのケースでは、電力のランプダウンを、および、引き続き起こるランプアップを生じさせることがある（例えば、結果として、２８μｓよりも長く影響が続くことになる）ので、１つの例では、アップリンクにおけるブランキングは、上述したダウンリンクの性能問題と比べて、付加的な複雑さを伴う。上の３次解決策は、ＬＴＥ通信のためのＴＤＤスキームに依存しているので、現在、ＢＣ４０で用いられていてもよいが、ＴＤＤコンフィギュレーションを用いる他の通信に適している。
【００８２】
図１２中で示されているように、ＵＥは、ブロック１２０２中で示されているように、第１の無線アクセス技術（ＲＡＴ）上でアクティブに通信してもよい。ブロック１２０４中で示されているように、ＵＥはまた、アップリンクのタイムスロットの間に通信するために第１のＲＡＴがスケジューリングされていないときに、第２のＲＡＴ上でアクティブに通信してもよい。
【００８３】
図１３中で示されているように、ＵＥは、ブロック１３０２中で示されているように、第１の無線アクセス技術（ＲＡＴ）上でアクティブに通信してもよい。ブロック１３０４中で示されているように、ＵＥはまた、第１のＲＡＴに対してスケジューリングされたダウンリンク時間の間に第２のＲＡＴにデータを受信させるデータ要求を送ることによって、第２のＲＡＴ上でアクティブに通信してもよい。
【００８４】
ＵＥは、第１の無線アクセス技術（ＲＡＴ）上でアクティブに通信する手段と、アップリンクのタイムスロットの間に通信するために第１のＲＡＴがスケジューリングされていないときに、第２のＲＡＴ上でアクティブに通信する手段とを具備していてもよい。ＵＥはまた、第１のＲＡＴに対してスケジューリングされたダウンリンク時間の間に第２のＲＡＴにデータを受信させるデータ要求を送ることによって、第２のＲＡＴ上でアクティブに通信する手段を具備してもよい。この手段は、コンポーネントＣｘＭ６４０、チャネルモニタリングモジュール９１２、チャネル共存アナライザ９１４、状態モニタモジュール９１６、無線スケジューリングモジュール９１８、メモリ２７２、プロセッサ２７０、アンテナ２５２ａ−ｒ、Ｒｘデータプロセッサ２６０、Ｔｘデータプロセッサ２３８、データソース２３６、トランシーバ２５４ａ−ｒ、変調器２８０、送信データプロセッサ２３８、アンテナ２５２ａ−ｒ、および／または受信データプロセッサ２６０を含んでいてもよい。別の態様では、先述の手段は、前述の手段によって列挙した機能を実行するように構成されている、モジュールまたは何らかの装置であってもよい。
【００８５】
上の例は、ＬＴＥシステムにおいて実現される態様を記述している。しかしながら、本開示の範囲は、これに限定されない。さまざまな態様は、ＣＤＭＡシステム、ＴＤＭＡシステム、ＦＤＭＡシステム、およびＯＦＤＭＡシステムを含むが、これらに限定されないさまざまな通信プロトコルのうちの任意のものを用いるもののような他の通信システムとともに使用するのに適していてもよい。
【００８６】
開示したプロセスにおける、ステップの特定の順序または階層は、例示的なアプローチの例であることが理解される。設計選択に基づいて、本開示の範囲内のままで、プロセスにおけるステップの特定の順序または階層を再構成してもよいことが理解される。付随する方法の請求項は、サンプルの順序で、さまざまステップの要素を表しており、示した特定の順序または階層に限定することを意味しているわけではない。
【００８７】
さまざまな異なるテクノロジーおよび技術のうちの任意のものを使用して、情報および信号を表してもよいことを、当業者は理解するだろう。例えば、上の詳細な説明全体を通して参照した、データ、命令、コマンド、情報、信号、ビット、シンボル、およびチップは、電圧、電流、電磁波、磁気フィールドまたは微粒子、光学フィールドまたは光学微粒子、あるいはこれらの任意の組み合わせによって表されてもよい。
【００８８】
ここで開示した態様に関連して記述した、さまざまな例示的な論理ブロック、モジュール、回路、およびアルゴリズムステップは、電子ハードウェア、コンピュータソフトウェア、あるいは双方を組み合わせたものとして実現してもよいことを、当業者はさらに正しく認識するだろう。ハードウェアおよびソフトウェアのこの互換性を明確に図示するために、さまざまな例示的なコンポーネント、ブロック、モジュール、回路、およびステップを、これらの機能性の点で上記に概して記述している。このような機能性が、ハードウェアまたはソフトウェアとして実現されるか否かは、システム全体に課せられている、特定のアプリケーションおよび設計制約に依存する。熟練者は、それぞれの特定のアプリケーションの方法を変えて、記述した機能性を実現するかもしれないが、このようなインプリメンテーションの決定は、本開示の範囲から逸脱が生じるとして解釈されるべきでない。
【００８９】
ここで開示した態様に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、ここで記述した機能を実行するように設計されたこれらの任意の組み合わせで実現されるか、あるいは、実行されてもよい。 汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、他の何らかのこのような構成として実現されてもよい。
【００９０】
ここでの開示した態様に関連して記述した、方法またはアルゴリズムのステップは、ハードウェアで、プロセッサによって実行されるソフトウェアモジュールで、または、２つのものを組み合わせたもので直接的に具体化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に知られている記憶媒体の他の何らかの形態で存在していてもよい。プロセッサが記憶媒体から情報を読み取ったり、記憶媒体に情報を書き込んだりできるように、例示的な記憶媒体はプロセッサに結合されている。代替実施形態では、記憶媒体はプロセッサと一体化してもよい。プロセッサおよび記憶媒体は、ＡＳＩＣ中に存在していてもよい。ＡＳＩＣは、ユーザ端末中に存在していてもよい。代替実施形態では、プロセッサおよび記憶媒体は、ユーザ端末中にディスクリートコンポーネントとして存在していてもよい。
【００９１】
開示した態様の先の説明は、当業者が、本開示を作り、または、使用できるように提供されている。この態様に対するさまざまな修正は、当業者に容易に明らかになるであろう。また、ここで規定されている一般的な原理は、本開示の範囲の精神または範囲から逸脱することなく、他の態様に適用されてもよい。したがって、本開示は、ここに示した態様に限定されることを意図しているものではないが、ここで開示した、原理および新規な特徴と矛盾しない最も広範囲に一致させるべきである。
以下に、本願出願の当初の特許請求の範囲に記載された発明を付記する。
［１］ワイヤレス通信の方法において、
第１の無線アクセス技術（ＲＡＴ）上でアクティブに通信することと、
アップリンクのタイムスロットの間に通信するように前記第１のＲＡＴがスケジューリングされていないときに、第２のＲＡＴ上でアクティブに通信することとを含む方法。
［２］前記第１のＲＡＴはロングタームエボリューション（ＬＴＥ）を含み、前記第２のＲＡＴはワイヤレスローカルエリアネットワーク（ＷＬＡＮ）を含む［１］に記載の方法。
［３］ＷＬＡＮ無線とＷＬＡＮアクセスポイントとの間での、電力セーブポールメッセージの使用を通して、前記ＷＬＡＮ無線によって通信を制御することをさらに含む［２］に記載の方法。
［４］ＬＴＥのアップリンクのタイムスロットと同時に起こっている時間期間の間に、電力セーブポールメッセージと肯定応答メッセージとを送信することをさらに含む［３］に記載の方法。
［５］ＬＴＥのアップリンクのタイムスロットと同時に起こっている時間期間の間に、電力セーブポールメッセージまたは肯定応答メッセージをスケジューリングすることが可能でないときに、ＬＴＥダウンリンクのタイムスロットと同時に起こっている時間期間の間に、前記電力セーブポールメッセージまたは前記肯定応答メッセージを送信することと、
前記ＬＴＥのダウンリンクのタイムスロットと同時に起こっている前記時間期間の間に、ＬＴＥ動作をブランキングすることとをさらに含む［３］に記載の方法。
［６］前記肯定応答メッセージは、集約されている肯定応答メッセージを含む［４］に記載の方法。
［７］ＷＬＡＮダウンリンク肯定応答メッセージを受信するために、ＬＴＥのアップリンク送信をブランキングすることをさらに含む［２］に記載の方法。
［８］ＬＴＥの非アクティブなアップリンクサブフレームと同時に起こっている時間期間の間に、ＷＬＡＮアクセスポイントからの肯定応答メッセージを前記ＷＬＡＮ無線によって受信させるように、前記ＷＬＡＮ無線による送信をスケジューリングすることをさらに含む［２］に記載の方法。
［９］アクティブに通信しているときに、前記第１のＲＡＴによってもたらされる干渉のレベルを決定することと、
前記第２のＲＡＴのリソースにおける前記アクティビティレベルを測定することと、
前記第１のＲＡＴによってもたらされる干渉の前記レベルに対処する間に、前記アクティビティレベルが、しきい値である、または、しきい値よりも低いときに、前記第２のＲＡＴのリソースが非アクティブであることを決定することと
によって、前記第２のＲＡＴのリソースのアクティビティレベルを決定することをさらに含む［１］に記載の方法。
［１０］通信を停止するように前記第１のＲＡＴに命令したときの時間期間の間に、前記第２のＲＡＴのリソースにおける前記アクティビティレベルを測定することによって、前記第２のＲＡＴのリソースのアクティビティレベルを決定することをさらに含む［１］に記載の方法。
［１１］ワイヤレス通信システム中で動作可能な装置において、
前記装置は、
第１の無線アクセス技術（ＲＡＴ）上でアクティブに通信する手段と、
アップリンクのタイムスロットの間に通信するように前記第１のＲＡＴがスケジューリングされていないときに、第２のＲＡＴ上でアクティブに通信する手段とを具備する装置。
［１２］ワイヤレス通信のために構成されているコンピュータプログラムプロダクトにおいて、
前記コンピュータプログラムプロダクトは、
プログラムコードを記録するコンピュータ読み取り可能媒体を具備し、
前記プログラムコードは、
第１の無線アクセス技術（ＲＡＴ）上でアクティブに通信するためのプログラムコードと、
アップリンクのタイムスロットの間に通信するように前記第１のＲＡＴがスケジューリングされていないときに、第２のＲＡＴ上でアクティブに通信するためのプログラムコードとを含むコンピュータプログラムプロダクト。
［１３］ワイヤレス通信システム中での動作のために構成されている装置において、
前記装置は、
メモリと、
前記メモリに結合されている少なくとも１つのプロセッサとを具備し、
前記少なくとも１つのプロセッサは、
第１の無線アクセス技術（ＲＡＴ）上でアクティブに通信するようにと、
アップリンクのタイムスロットの間に通信するように前記第１のＲＡＴがスケジューリングされていないときに、第２のＲＡＴ上でアクティブに通信するように構成されている装置。
［１４］前記第１のＲＡＴはロングタームエボリューション（ＬＴＥ）を含み、前記第２のＲＡＴはワイヤレスローカルエリアネットワーク（ＷＬＡＮ）を含む［１３］に記載の装置。
［１５］前記少なくとも１つのプロセッサは、ＷＬＡＮ無線とＷＬＡＮアクセスポイントとの間での、電力セーブポールメッセージの使用を通して、前記ＷＬＡＮ無線によって通信を制御するようにさらに構成されている［１４］に記載の装置。
［１６］前記少なくとも１つのプロセッサは、ＬＴＥのアップリンクのタイムスロットと同時に起こっている時間期間の間に、電力セーブポールメッセージと肯定応答メッセージとを送信するようにさらに構成されている［１５］に記載の装置。
［１７］前記少なくとも１つのプロセッサは、
ＬＴＥのアップリンクのタイムスロットと同時に起こっている時間期間の間に、電力セーブポールメッセージまたは肯定応答メッセージをスケジューリングすることが可能でないときに、ＬＴＥダウンリンクのタイムスロットと同時に起こっている時間期間の間に、前記電力セーブポールメッセージまたは前記肯定応答メッセージを送信するようにと、
前記ＬＴＥのダウンリンクのタイムスロットと同時に起こっている前記時間期間の間に、ＬＴＥ動作をブランキングするようにさらに構成されている［１５］に記載の装置。
［１８］前記肯定応答メッセージは、集約されている肯定応答メッセージを含む［１６］に記載の装置。
［１９］前記少なくとも１つのプロセッサは、ＷＬＡＮダウンリンク肯定応答メッセージを受信するために、ＬＴＥのアップリンク送信をブランキングするようにさらに構成されている［１４］に記載の装置。
［２０］前記少なくとも１つのプロセッサは、ＬＴＥの非アクティブなアップリンクサブフレームと同時に起こっている時間期間の間に、ＷＬＡＮアクセスポイントからの肯定応答メッセージを前記ＷＬＡＮ無線によって受信させるように、前記ＷＬＡＮ無線による送信をスケジューリングするようにさらに構成されている［１４］に記載の装置。
［２１］前記少なくとも１つのプロセッサは、
アクティブに通信しているときに、前記第１のＲＡＴによってもたらされる干渉のレベルを決定するようにと、
前記第２のＲＡＴのリソースにおける前記アクティビティレベルを測定するようにと、
前記第１のＲＡＴによってもたらされる前記干渉のレベルに対処する間に、前記アクティビティレベルが、しきい値である、または、しきい値よりも低いときに、前記第２のＲＡＴのリソースが非アクティブであることを決定するようにと
によって、前記第２のＲＡＴのリソースのアクティビティレベルを決定するようにさらに構成されている［１３］に記載の装置。
［２２］前記少なくとも１つのプロセッサは、
通信を停止するように前記第１のＲＡＴに命令したときの時間期間の間に、前記第２のＲＡＴのリソースにおける前記アクティビティレベルを測定することによって、前記第２のＲＡＴのリソースのアクティビティレベルを決定するようにさらに構成されている［１３］に記載の装置。
［２３］ワイヤレス通信の方法において、
第１の無線アクセス技術（ＲＡＴ）上でアクティブに通信することと、
前記第１のＲＡＴに対してスケジューリングされたダウンリンク時間の間に第２のＲＡＴにデータを受信させるデータ要求を送ることによって、前記第２のＲＡＴ上でアクティブに通信することとを含む方法。
［２４］ワイヤレス通信システム中で動作可能な装置において、
前記装置は、
第１の無線アクセス技術（ＲＡＴ）上でアクティブに通信する手段と、
前記第１のＲＡＴに対してスケジューリングされたダウンリンク時間の間に第２のＲＡＴにデータを受信させるデータ要求を送ることによって、前記第２のＲＡＴ上でアクティブに通信する手段とを具備する装置。
［２５］ワイヤレス通信のために構成されているコンピュータプログラムプロダクトにおいて、
前記コンピュータプログラムプロダクトは、
プログラムコードを記録するコンピュータ読み取り可能媒体を具備し、
前記プログラムコードは、
第１の無線アクセス技術（ＲＡＴ）上でアクティブに通信するためのプログラムコードと、
前記第１のＲＡＴに対してスケジューリングされたダウンリンク時間の間に第２のＲＡＴにデータを受信させるデータ要求を送ることによって、前記第２のＲＡＴ上でアクティブに通信するためのプログラムコードとを含むコンピュータプログラムプロダクト。
［２６］ワイヤレス通信ネットワーク中での動作のために構成されている装置において、
前記装置は、
メモリと、
前記メモリに結合されている少なくとも１つのプロセッサとを具備し、
前記少なくとも１つのプロセッサは、
第１の無線アクセス技術（ＲＡＴ）上でアクティブに通信するようにと、
前記第１のＲＡＴに対してスケジューリングされたダウンリンク時間の間に第２のＲＡＴにデータを受信させるデータ要求を送ることによって、前記第２のＲＡＴ上でアクティブに通信するように構成されている装置。
【図１】
0005607233.tif 000002
【図２】
0005607233.tif 000003
【図３】
0005607233.tif 000004
【図４】
0005607233.tif 000005
【図５】
0005607233.tif 000006
【図６】
0005607233.tif 000007
【図７】
0005607233.tif 000008
【図８】
0005607233.tif 000009
【図９】
0005607233.tif 000010
【図１０】
0005607233.tif 000011
【図１１】
0005607233.tif 000012
【図１２】
0005607233.tif 000013
【図１３】
0005607233.tif 000014